(57)【要約】【課題】  係合体を受け具に係合した後の物干しロープの張力を増加させて、洗濯物をできるだけ高い場所に保持できるようにする。【解決手段】  本発明は、洗濯物を引っ掛けるための物干しロープ４が引き出し可能であり、その物干しロープ４が巻き取り方向に付勢された状態で収納されたケーシング３と、物干しロープ４の引き出し方向への移動を規制及び解除可能なロック部材１２と、物干しロープ４の端部に固定された係合体６を着脱自在に係合可能な受け具５と、受け具５と係合体６との間に介在させることにより、ロック部材１２により移動が規制された後の物干しロープ４を緊張させるための緊張部材７とを備える。【選択図】図５
2014018625.tif 000002
【特許請求の範囲】
【請求項１】
洗濯物を引っ掛けるための物干しロープが引き出し可能であり、前記物干しロープが巻き取り方向に付勢された状態で収納されたケーシングと、
前記物干しロープの引き出し方向への移動を規制及び解除可能なロック部材と、
前記物干しロープの端部に固定された係合体を着脱自在に係合可能な受け具と、
前記受け具と前記係合体との間に介在させることにより、前記ロック部材により移動が規制された後の前記物干しロープを緊張させるための緊張部材と、
を備えていることを特徴とする物干し装置。
【請求項２】
前記受け具は、上方に開口する前記係合体の受け入れ口が形成された筒状部材を有し、
前記筒状部材の壁部に、前記受け入れ口に連通するロープ逃げ用のスリットが形成されている請求項１に記載の物干し装置。
【請求項３】
前記緊張部材は、前記壁部の内面と前記筒状部材の内部に収納された前記係合体との間に上から差し込み可能な楔部と、この楔部の上端部に設けられた摘み部とを有する請求項２に記載の物干し装置。
【請求項４】
前記楔部の上下方向中途部から下端縁に至るロープ逃げ用の縦スリットが当該楔部に形成されている請求項３に記載の物干し装置。
【請求項５】
前記筒状部材に形成された前記スリットは、前記受け入れ口から下方に延びる縦方向の第１スリットと、この第１スリットの下端部から左右方向に延びる第２スリットとを有する請求項２〜４のいずれか１項に記載の物干し装置。
【発明の詳細な説明】
【技術分野】
【０００１】  本発明は、洗濯物を引っ掛けるための物干しロープをケーシングから引き出し可能に構成された物干し装置に関するものである。
【背景技術】
【０００２】  室内用の物干し装置として、例えば特許文献１に記載のものが知られている。この従来の物干し装置は、ケーシングと、ケーシングの内部に回動自在に収納された物干しロープの巻き取りリールと、巻き取りリールの回動を巻き取り方向に付勢するゼンマイバネよりなる付勢部材と、物干しロープの引き出し方向への移動を人為的操作により規制及び解除可能なロック部材とを備えている。【０００３】  上記物干し装置は、ケーシングを一方の壁面に取り付け、他方の壁面に物干しロープの端部が係合可能な受け具を取り付けるようにして使用される。
上記物干し装置によって洗濯物を干す場合には、ユーザは、ロック部材による物干しロープの移動規制を解除した状態で、ケーシングから物干しロープを引き出して受け具に物干しロープの端部に固定した係合体を係合させ、ロック部材を操作して物干しロープの引き出し方向への移動規制を行うことにより、物干しロープを室内の壁面間に架け渡す。【０００４】  その後は、直接或いはハンガー等を介して上記物干しロープに洗濯物を引っ掛けることにより、室内での物干し作業が可能となる。
また、上記物干し装置を使用しない場合には、ユーザは、物干しロープの係合体を受け具から取り外してから、ロック部材を操作して物干しロープの移動規制を解除する。すると、付勢部材により巻き取りリールが巻き取り方向に回動し、物干しロープがケーシングの内部に自動的に巻き取られて収納されるようになっている。
【先行技術文献】
【特許文献】
【０００５】
【特許文献１】  実開昭５９−１６００９１号公報
【発明の概要】
【発明が解決しようとする課題】
【０００６】  上記従来の物干し装置では、ロック部材によって物干しロープの引き出し方向への移動が規制される。従って、室内の壁面間に架け渡された物干しロープに洗濯物を引っ掛けても、洗濯物の荷重によって物干しロープが引き出されることはない。
しかし、従来の物干し装置では、係合体を受け具に係合した後の物干しロープに張力を発現させる部材が付勢部材のみであるから、付勢部材の巻き取り力を超えた張力では物干しロープを緊張させることができない。【０００７】  このため、洗濯物の重量や物干しロープの材質によっては、洗濯物を引っ掛けた後の物干しロープの緩みが大きくなり、洗濯物が比較的低い場所まで垂れ下がってしまって邪魔になることがあるという欠点があった。
本発明は、このような従来の課題に鑑み、係合体を受け具に係合した後の物干しロープの張力を増加させて、洗濯物をできるだけ高い場所に保持できる物干し装置を提供することを目的とする。
【課題を解決するための手段】
【０００８】  本発明は、洗濯物を引っ掛けるための物干しロープを引き出し可能であり、前記物干しロープが巻き取り方向に付勢された状態で収納されたケーシングと、前記物干しロープの移動を人為的操作により規制及び解除可能なロック部材と、前記物干しロープの端部に固定された係合体を着脱自在に係合可能な受け具と、前記受け具と前記係合体との間に介在させることにより、前記ロック部材により移動が規制された後の前記物干しロープを緊張させるための緊張部材と、を備えていることを特徴とする。【０００９】  本発明によれば、受け具と係合体との間に緊張部材を介在させることで、ロック部材により移動が規制された後の物干しロープを緊張させることができる。このため、緊張部材を用いない場合に比べて、係合体を受け具に係合した後の物干しロープの張力が増加する。
従って、緊張部材を使用しない従来装置に比べて、洗濯物を引っ掛けた場合の物干しロープの撓みが少なくなって洗濯物を高い場所に保持することができ、特に室内物干し用として好適な物干し装置を提供することができる。もっとも、本発明の物干し装置は、室外物干し用として使用することもできる。【００１０】  本発明において、前記受け具として、上方に開口する前記係合体の受け入れ口を有する筒状部材を採用する場合には、前記筒状部材の壁部に、前記受け入れ口に連通するロープ逃げ用のスリットが形成されていることが好ましい。
その理由は、かかるスリットが形成しておけば、そのスリットがない場合に比べて、係合体を筒状部材の内部の深い位置まで嵌め込むことができ、係合体を筒状部材から外れ難くすることができるからである。【００１１】  本発明において、前記緊張部材は、例えば、前記壁部の内面と前記筒状部材の内部に収納された前記係合体との間に上から差し込み可能な楔部と、この楔部の上端部に設けられた摘み部とを有するものを採用することができる。
この場合、前記楔部の上下方向中途部から下端縁に至るロープ逃げ用の縦スリットが当該楔部に形成されていることが好ましい。【００１２】  かかる縦スリットを形成しておけば、その縦スリットがない場合に比べて、緊張部材の楔部を筒状部材の内部の深い位置まで差し込むことができ、差し込んだ後の緊張部材が筒状部材から容易に抜け出すことがなくなる。
従って、緊張部材による物干しロープに対する張力増加状態を、より確実に維持することができる。【００１３】  本発明において、前記筒状部材に形成された前記スリットは、前記受け入れ口から下方に延びる縦方向の第１スリットと、この第１スリットの下端部から左右方向に延びる第２スリットとを有することが好ましい。
かかるスリットを採用すれば、物干しロープが第１スリットの下部から更に第２スリットに入り込むことができる。このため、物干しロープが左右に揺れた時に局所的に屈曲を繰り返すことにより、物干しロープが早期に劣化するのを防止することができる。
【発明の効果】
【００１４】  以上の通り、本発明によれば、係合体を受け具に係合した後の物干しロープの張力を増加させることができる。このため、洗濯物をできるだけ高い場所に保持できる物干し装置を提供することができる。
【図面の簡単な説明】
【００１５】
【図１】  本発明の実施形態に係る物干し装置の斜視図である。
【図２】  同物干し装置の正面図である。
【図３】  同物干し装置の平面図である。
【図４】  同物干し装置の内部構造を破線で示す側面図である。
【図５】  受け具、係合体及び緊張部材の分解斜視図である。
【図６】  緊張部材の装着状態を示す側面断面図である。
【発明を実施するための形態】
【００１６】  〔物干し装置の全体及び内部構成〕
以下、図面を参照しつつ、本発明の実施形態を説明する。
図１は、本発明の実施形態に係る、物干しロープを引き出した状態の物干し装置の斜視図であり、図２は、同物干し装置の正面図である。また、図３は、同物干し装置の平面図であり、図４は、同物干し装置の内部構造を破線で示す側面図である。
【００１７】  図１〜図３に示すように、本実施形態の物干し装置１は、住宅の室内の壁面に取り付けて使用されるものであり、その壁面にネジ等で取り付け可能な取付部材２と、この取付部材２に回動自在に枢着されたケーシング３と、物干しロープ４の端部を着脱自在に係合可能な受け具５（図４参照）とを備えている。
物干しロープ４は、例えば、カーボン含有ファイバの縒り線よりなり、受け具５に引っ掛け可能なほぼ短円筒状の係合体６を引き出し側端部に備えている。
【００１８】  取付部材２は、上下一対の支持フランジ８を有し、この支持フランジ８に設けた枢着ピン９をケーシング３の基端部に固定することにより、ケーシング３が取付部材２に対して上下方向の軸心回りに回動自在に枢着されている（図３の仮想線参照）。
図４に示すように、ケーシング３は、縦横方向の寸法に比べて厚さ寸法が小さい偏平なほぼ正方形状の矩形のボックス体よりなり、その内部に、物干しロープ４の巻き取りリール１０と、リール１０の回動を巻き取り方向に付勢する付勢部材１１とを備えている。
【００１９】  巻き取りリール１０は、ケーシング３の中央部に設けたリール軸１３に回動自在に設けられており、このリール軸１３にゼンマイバネよりなる前記付勢部材１１が取り付けられている。
このゼンマイバネよりなる付勢部材１１は、中心側端部がリール軸１３に固定され、かつ、外周側端部が巻き取りリール１０の内周壁に固定されており、この付勢部材１１のバネ力により巻き取りリール１０が巻き取り方向Ａに付勢されている。
【００２０】  ケーシング３の先端側上部には、物干しロープ４の移動を人為的操作により規制及び解除可能なロック部材１２が設けられている。
このロック部材１２は、接離自在な上下一対のブロック１４Ｕ，１４Ｌと、物干しロープ４をブロック１４Ｕ，１４Ｌ間で締め付けてロックする操作部材１５とからなり、上下一対のブロック１４Ｕ，１４Ｌは、ケーシング３内の先端側でかつ上部よりに上下動自在に収納されている。
【００２１】  操作部材１５は、ケーシング３の上壁部１８に上方から螺合されたねじ部材よりなり、この操作部材１５のねじ軸の下端部が上ブロック１４Ｕに回動自在に連結されている。また、物干しロープ４は、上ブロック１４Ｕと下ブロック１４Ｌの間の対向空間を通過している。
従って、操作部材１５の頭部を締め付け方向（例えば、右回り）に回動させると、上下一対のブロック１４Ｕ，１４Ｌで物干しロープ４が挟持され、その巻き取り方向Ａ及び引き出し方向Ｂへの移動が規制されるようになっている。
【００２２】  逆に、操作部材１５の頭部を反締め付け方向（例えば、左回り）に回動させると、上下一対のブロック１４Ｕ，１４Ｌによる締め付けロープ４の挟持が解除され、その巻き取り方向Ａ及び引き出し方向Ｂへの移動が許容される。
なお、図４に示すように、ケーシング３の先端壁部１６には、前記係合体６のほぼ全体を収容可能な深さに設定された、収容凹部１７が形成されている。
【００２３】  図４に示すように、本実施形態の物干し装置１は、ケーシング３の内部に組み込まれたロータリーダンパ２２を備えている。このロータリーダンパ２２は、汎用部品として市販されているもので、矩形のケーシング３の内部における、デッドスペースとなっているコーナー部分（図４の例では、ケーシング３内の先端側かつ下部側）に配置されている。
ロータリーダンパ２２の回転軸２１には、ダンパ側ギア２３が取り付けられ、巻き取りリール１０には、ダンパ側ギア２３に噛合するリール側ギア２４が同軸心状に取り付けられている。
【００２４】  上記ロータリーダンパ２２は、円筒体と、この円筒体に挿通された回転軸２１に設けたフィン（図示せず）とを有し、円筒体内に封入した粘性流体にフィンを浸すことにより、回転軸２１の回転に抵抗を付与している。
そして、上記両ギア２３，２４のギア比は、ロータリーダンパ２２による回転抵抗が、付勢部材１１のバネ力による巻き取りリール１０の巻き取り方向Ａへ回動が妨げられない程度となるように設定されている。
【００２５】  しかして、上記ダンパ側ギア２３とリール側ギア２４は、付勢部材１１による巻き取りリール１０の巻き取り方向Ａへの回動が妨げられない程度に、巻き取りリール１０とロータリーダンパ２２の回転軸２１とを連動連結するギア機構２５を構成している。
また、本実施形態のギア機構２５では、ダンパ側ギア２３の直径がリール側ギア２４の直径よりも大きくなっている。
【００２６】  なお、本実施形態のロータリーダンパ２２は、回転軸２１の回転方向に応じて抵抗が変化するように、上記フィンの形状が設定されている。
具体的には、ロータリーダンパ２２によって付与される抵抗は、巻き取りリール１０の図４の矢印Ｂ方向（引き出し方向）の回動に対する抵抗の方が、図４の矢印Ａ方向（巻き取り方向）の回動に対する抵抗よりも小さくなっている。
【００２７】  〔受け具と緊張部材の具体例〕
図５は、受け具５、係合体６及び緊張部材７の分解斜視図であり、図６は、緊張部材７の装着状態を示す側面断面図である。
図５に示すように、受け具５は、断面ほぼ半円状に形成された樹脂製の筒状部材３０と、この筒状部材３０の背面側及び底側を閉塞する金属製の取付金具３１（図６参照）とを有している。
【００２８】  取付金具３１は、断面ほぼＬ字状に屈曲形成されている。この取付金具３１を、室内の壁面に先にネジ止めしたあと、当該取付金具３１に筒状部材３０を合体させることにより、受け具５が壁面に取り付けられるようになっている。
筒状部材３０の上面側には、係合体６よりもやや大きい受け入れ口３２が形成され、筒状部材３０の正面側の壁部３３は正面側に膨らむ円弧状に形成されている。壁部３３には、受け入れ口３２に連通するロープ逃げ用のスリット３４が形成されている
【００２９】  このスリット３４は、正面から見て逆Ｔ字状に形成されており、受け入れ口３２から下方に延びる縦方向の第１スリット３５と、この第１スリット３５の下端部から左右方向に延びる第２スリット３６とから構成されている。
係合体６は、短円筒状の樹脂製の筒体よりなり、先端側にフランジ部を有するとともに、ロープ側の側面が円弧面６Ａに形成されている。
【００３０】  緊張部材７は、樹脂製の楔部材よりなり、筒状部材３０の壁部３３の内面と筒状部材３０の内部に収納された係合体６との間に上から差し込み可能な楔部３８と、この楔部３８の上端部に設けられた摘み部３９とを一体に有している。
この摘み部３９は、楔部３８の上端から正面側に突出する偏平な板片よりなる。もっとも、摘み部３９の構造はこれに限定されるものではなく、緊張部材７の装着状態（図６の状態）において筒状部材３０の外部に露出し、人が手指で摘める構造であればよい。
【００３１】  楔部３８は、下端に向かって厚さが先細りとなる鋭利な部分を下部に有しており、楔部３８の正面３８Ａの曲率半径は、壁部３３の内面の曲率半径とほぼ同じであり、楔部３８の背面３８Ｂの曲率半径は、係合体６の円弧面６Ａの曲率半径とほぼ同じである。
楔部３８は、ロープ逃げ用の縦スリット４０を有する。この縦スリット４０の上端は、楔部３８の上下方向中途部に位置しており、縦スリット４０の下端は楔部３８の下端縁まで至っている。
【００３２】  係合体６を受け具５に係合するには、図５の矢印Ｘに示すように、物干しロープ４を第１スリット３５に挿通させつつ、係合体６を受け入れ口３２に上から嵌め込み、係合体６を筒状部材３０の内部に収納させればよい。
その後、図５の矢印Ｙに示すように、物干しロープ４を縦スリット４０に挿通させつつ、緊張部材７の楔部３８を壁部３３と係合体６の間に差し込むようにすれば、図６に示すように、楔部３８が壁部３３と係合体６の間に介在する装着状態となり、物干しロープ４の張力が更に増加する緊張状態となる。
【００３３】  〔物干し装置の使用方法と作用〕
上記構成に係る本実施形態の物干し装置１は、取付部材２を介してケーシング３を一方の壁面に取り付け、他方の壁面に受け具５を取り付けるようにして使用される。
かかる物干し装置１によって洗濯物を干す場合には、ユーザは、操作部材１５を緩める方向に回動させて物干しロープ４の移動規制を解除し、この状態で、ケーシング３から物干しロープ４を引き出して受け具５に物干しロープ４の係合体６を係合させて、物干しロープ４を室内の壁面間に架け渡す。
【００３４】  そして、操作部材１５を締め付け方向に回動させることにより、物干しロープ４の引き出し方向Ｂへの移動を規制する。これにより、物干しロープ４に直接或いはハンガー等を介して洗濯物を引っ掛けても、物干しロープ４が引き出し方向Ｂに移動しなくなる。
本実施形態では、更に、受け具５とその内部の係合体６の間に緊張部材７を差し込んで、図６の装着状態とする。これにより、付勢部材１１による巻き取り方向Ａの付勢力よりも大きい力で物干しロープ４が緊張し、洗濯物を引っ掛けた場合の物干しロープ４の撓み量が小さくなる。
【００３５】  物干し装置１を使用しない場合には、ユーザは、緊張部材７を抜き取ってから物干しロープの係合体６を受け具５から取り外し、その後、操作部材１５を緩める方向に回動させて物干しロープ４の移動規制を解除する。
すると、付勢部材１１により巻き取りリール１０が巻き取り方向に回動し、物干しロープ４がケーシング３の内部に自動的に巻き取られて収納される。
【００３６】  この際、本実施形態の物干し装置１によれば、ギア機構２５が、付勢部材１１による巻き取りリール１０の巻き取り方向Ａへの回動が妨げられない程度に、巻き取りリール１０とロータリーダンパ２２の回転軸２１とを連動連結するので、物干しロープ４の移動規制を解除した場合でも、物干しロープ４が高速で勢いよく巻き取られるのが防止される。
このため、物干しロープ４をケーシング３内に収納する際に、巻き取り途中の物干しロープ４にユーザの手指等が当たって怪我をするのを未然に防止することができ、安全性に優れた物干し装置１を得ることができる。
【００３７】  また、本実施形態の物干し装置１によれば、ロータリーダンパ２２として、汎用部品として市販されたものを使用しているので、上記のような減速機能を有する物干し装置１を構成するための製作コストを抑えることができる。
また、本実施形態の物干し装置１によれば、ダンパ側ギア２３の直径がリール側ギア２４の直径よりも大きいので、巻き取りリール１０の回転に伴うロータリーダンパ２２の回転数を出来るだけ少なくでき、ロータリーダンパ２２の耐久性を向上することができる。
【００３８】  更に、本実施形態の物干し装置１によれば、巻き取りリール１０の引き出し方向Ｂの回動に対する抵抗が、当該巻き取りリール１０の巻き取り方向Ａの回動に対する抵抗よりも弱いロータリーダンパ２２を採用しているので、出来るだけ小さい力で物干しロープＢを引き出すことができる。
このため、ロータリーダンパ２２を設けたことによって物干し装置１の使い勝手が悪くなるのを、未然に防止することができる。
【００３９】  また、本実施形態の物干し装置１によれば、ケーシング３の内部のデッドスペースとなっているコーナー部分にロータリーダンパ２２を配置しているので、そのダンパ２２の収納スペースをケーシング３に別途確保する必要がなく、ケーシング３をコンパクト化することができるという利点もある。
【００４０】  本実施形態の物干し装置１によれば、受け具５と係合体６との間に緊張部材７を介在させることで、ロック部材１２により移動が規制された後の物干しロープ４を緊張させることができる。
このため、緊張部材７を用いない場合に比べて、係合体６を受け具５に係合した後の物干しロープ４の張力が増加し、緊張部材７を使用しない従来装置に比べて、洗濯物を引っ掛けた場合の物干しロープ４の撓みが少なくなって洗濯物を高い場所に保持できる。
【００４１】  また、本実施形態の物干し装置１によれば、受け具５の筒状部材３０の壁部３３に、受け入れ口３２に連通するロープ逃げ用のスリット３４が形成されている。
このため、かかるスリット３４がない受け具５の場合に比べて、係合体６を筒状部材３０の内部の深い位置まで嵌め込むことができ、係合体６が筒状部材３０から外れ難くなるという利点がある。
【００４２】  更に、本実施形態の物干し装置１によれば、楔部３８の上下方向中途部から下端縁に至るロープ逃げ用の縦スリット４０が当該楔部３８に形成されている。
このため、その縦スリット４０がない緊張部材７に場合に比べて、緊張部材７の楔部３８を筒状部材３０の内部の深い位置まで差し込むことができ、差し込んだ後の緊張部材７が筒状部材３０から容易に抜け出し難くなるという利点もある。
【００４３】  また、本実施形態では、筒状部材３０のスリット３４が、受け入れ口３２から下方に延びる縦方向の第１スリット３５の下部から左右方向に延びる第２スリット３６を有し、物干しロープ４が第１スリット３５の下部から第２スリット３６に入り込める構造となっている。
このため、物干しロープ４が左右に揺れた時に第１スリット３５の下部で局所的に屈曲を繰り返すことがなくなり、かかる屈曲に伴う物干しロープ４の早期劣化を未然に防止することができる。
【００４４】  なお、本発明は上記実施形態に限定されるものではない。
例えば、上記実施形態では、ギア機構２５が、ダンパ側ギア２３とリール側ギア２４の２つのギアで構成されているが、これらの間に更に１又は複数の中間ギアを介在させる構成であってもよい。
【符号の説明】
【００４５】  １：物干し装置    ２：取付部材    ３：ケーシング    ４：物干しロープ
５：受け具    ６：係合体    ７：緊張部材    １１：付勢部材
１２：ロック部材    １５：操作部材    ３０：筒状部材    ３２：受け入れ口
３３：壁部    ３４：スリット    ３５：第１スリット    ３６：第２スリット
３８：楔部    ３９：摘み部    ４０：縦スリット
【図１】
2014018625.tif 000003
【図２】
2014018625.tif 000004
【図３】
2014018625.tif 000005
【図４】
2014018625.tif 000006
【図５】
2014018625.tif 000007
【図６】
2014018625.tif 000008